(57)【要約】【課題】  受信状態に応じて映像及び音声の出力レベルを調整してユーザの不快感を低減する。【解決手段】  テレビ受信装置１０は、輝度信号及び色信号を備える映像信号と音声信号とを有するテレビ放送信号を受信して映像信号に応じた映像及び音声信号に応じた音声を出力する。テレビ受信装置１０は、輝度信号のレベルを調整するアッテネータ２４及び２６、色信号のレベルを調整するアッテネータ２５及び可変増幅器２７、及び音声信号のレベルを調整するアッテネータ３３及び可変増幅器３４を備え、制御部１５はテレビ放送信号の受信状態に応じて可変増幅器を制御して、輝度信号、色信号及び音声信号のレベルを調整する。【選択図】        図１
2007043501.tif 000002
【特許請求の範囲】
【請求項１】
輝度信号及び色信号を備える映像信号と音声信号を有するテレビ放送信号を受信して前記映像信号に応じた映像と前記音声信号に応じた音声とを出力するテレビ受信装置において、
前記輝度信号のレベルを制御する第１の調整手段と、
前記色信号のレベルを制御する第２の調整手段と、
前記音声信号のレベルを制御する第３の調整手段と、
前記テレビ放送信号の受信状態を検出する検出手段と、
前記第１の調整手段乃至前記第３の調整手段における制御レベルと前記受信状態との関係を表すテーブルと、
前記検出手段が出力する受信状態と前記テーブルとに基づいて前記第１の調整手段乃至前記第３の調整手段を制御する制御手段
とを備えたことを特徴とするテレビ受信装置。
【請求項２】
制御手段は検出手段が出力する受信状態が予め規定された第１の閾値となると第２の調整手段を制御して色信号のレベルを低減させるようにした請求項１記載のテレビ受信装置。
【請求項３】
制御手段は検出手段が出力する受信状態が第１の閾値よりも小さい第２の閾値となると第1の調整手段を制御して輝度信号のレベルを低減させるようにした請求項２記載のテレビ受信装置。
【請求項４】
制御手段は検出手段が出力する受信状態が第２の閾値よりも小さい第３の閾値となると第２の調整手段を制御して色信号をミュートするようにした請求項３記載のテレビ受信装置。
【請求項５】
制御手段は検出手段が出力する受信状態が第３の閾値よりも小さい第４の閾値となると第１の調整手段を制御して輝度信号をミュートするようにした請求項４記載のテレビ受信装置。
【請求項６】
制御手段は検出手段が出力する受信状態が第１の閾値となると第３の調整手段を制御して音声信号のレベルを低減させ、前記受信状態が第４の閾値となると前記音声信号をミュートするようにした請求項５記載のテレビ受信装置。
【請求項７】
検出手段はテレビ放送信号の受信状態をテレビ放送信号の受信電界強度として検出するようにした請求項１から請求項６のうちのいずれか１項記載のテレビ受信装置。
【請求項８】
テレビ放送信号はデジタルテレビ放送信号であり、
検出手段はテレビ放送信号の受信状態をテレビ放送信号の受信電界強度として検出し、制御手段は前記受信電界強度、前記デジタル放送信号を復調する際に得られるビットエラーレート、前記デジタル放送信号の搬送波対雑音比の少なくとも一つに応じて受信状態を決定するようにした請求項１から請求項６のうちのいずれか１項記載のテレビ受信装置。
【発明の詳細な説明】
【技術分野】
【０００１】
この発明は、テレビ（ＴＶ）放送信号を受信するテレビ受信装置に関し、特に、テレビ放送信号の受信状態に応じて映像信号及び／又は音声信号の出力レベルを調整することのできる車載用のテレビ受信装置に関するものである。
【背景技術】
【０００２】
一般に、車両等の移動体に搭載された車載用テレビ受信装置でテレビ放送信号を受信している際、車両の移動に伴ってその受信電界強度等の受信状態が変動して、テレビ放送信号を良好に受信できないという事態が生じる。つまり、受信電界強度が低下すると、テレビ受信装置における信号対雑音（Ｓ／Ｎ）特性が悪化して、テレビ放送信号、特に、映像信号中の雑音レベルが増加して、モニター上に表示される映像が極めて見づらく感じることがある。
【０００３】
例えば、地上アナログテレビ放送信号を受信している際に、車両が受信エリアから外れると、モニター画面は所謂スノーノイズ状態となり、音声には雑音が含まれて、ユーザは不快感を感じることがあった。一方、地上デジタルテレビ放送信号では車両が受信エリア内に位置すれば、高画質／高音質でテレビ視聴を行えるものの、一旦受信エリアから外れると突然受信が寸断される。
【０００４】
ところで、車載用テレビ受信装置においては、受信状態が悪化した際の耳障りな雑音を防止するため、受信状態が悪化した際に音量を自動的に絞るミュート回路が設けられており、さらには、受信状態に良好な状態に復帰した際に電子ボリュームを制御して徐々に音量を回復させるフェードイン処理が行なわれている。
【０００５】
そして、適切なミュート制御を行うため、ＧＰＳ装置からの位置データによって車両が受信エリアの周辺域に居るか否かを判定して、周辺域に車両が位置すると判定すると、電子ボリュームによるミュート解除時のフェードイン制御の時間を長く設定し、受信エリアの内側に車両が位置すると判定すると、フェードイン時間を短く設定するようにしたものがある（例えば、特許文献１参照）。
【０００６】
また、急激な音声出力の途切れを防止するため、音声情報の受信状態を検出して、受信状態が遮断又は復帰状態になることを予測すると、音声情報に対する音量を徐々に低下又は上昇させて、音声出力の急激な途切れ等を防止するようにしたものがある（例えば、特許文献２参照）。
【０００７】
【特許文献１】特開２００１−１５６６５６公報（第２頁〜第３頁、第１図〜第４図）
【特許文献２】特開平１０−１５４９４４号公報（第３頁〜第４頁、第１図〜第７図）
【発明の開示】
【発明が解決しようとする課題】
【０００８】
従来のテレビ受信装置は以上のように構成されているので、つまり、車両の位置に応じてミュート解除の際のフェードイン制御の時間を変更するようにしているので、受信エリアから外れても音声についてはユーザに耳障りな不快感を感じることがないものの、映像については、アナログテレビ放送信号を受信中であれば、モニター画面がスノー状態となってユーザは不快感を感じることがあった。
【０００９】
デジタルテレビ放送信号を受信中であれば、一旦受信エリアから外れると突然受信が寸断されてしまい、ユーザにとっては音声については適切なミュート処理が行われているにも拘らず、映像が突然寸断されてしまうので、やはりユーザは不快感を感じることがあった。
【００１０】
受信状態が遮断又は復帰状態になることを予測した際に、音声情報に対する音量を徐々に低下又は上昇するようにしたとしても、映像については何ら処置していないのであるから、ユーザは上述のような不快感を感じることがあった。
【００１１】
この発明は上記のような課題を解決するためになされたもので、受信状態に応じて映像及び音声の出力レベルを調整してユーザの不快感を低減することのできるテレビ受信装置を得ることを目的とする。
【課題を解決するための手段】
【００１２】
この発明に係るテレビ受信装置は、輝度信号のレベルを制御する第１の調整手段と、色信号のレベルを制御する第２の調整手段と、音声信号のレベルを制御する第３の調整手段と、テレビ放送信号の受信状態を検出する検出手段と、第１の調整手段乃至前記第３の調整手段における制御レベルと前記受信状態との関係を表すテーブルと、受信状態と前記テーブルとに基づいて前記第１の調整手段乃至前記第３の調整手段を制御する制御手段とを備えたものである。
【発明の効果】
【００１３】
この発明によれば、テレビ放送信号の受信状態に応じて輝度信号、色信号、及び音声信号のレベルを制御するように構成したので、突然映像が遮断される等の事態は防止され、ユーザの不快感を低減できる。
【発明を実施するための最良の形態】
【００１４】
実施の形態１．
図１は本発明の実施の形態１によるテレビ受信装置の一例を示すブロック図であり、図示のテレビ受信装置１０は、地上アナログテレビ放送信号を受信する。図１において、テレビ受信装置１０は、アンテナ１１、チューナ（ダウンコンバータを含む）１２、映像検波増幅部１３、音声検波増幅部１４、及び制御部（制御手段）１５を有しており、映像検波増幅部１３及び音声検波増幅部１４の出力はそれぞれＲＧＢ（Ｒｅｄ（赤），Ｇｒｅｅｎ（緑），Ｂｌｕｅ（青））復調回路１６及び音声復調回路１７に与えられる。
【００１５】
図示のように、映像検波増幅部１３は、映像用弾性表面波フィルタ（映像ＳＡＷＦＩＬ）２１、映像検波器２２、ＹＣ（輝度信号（Ｙ信号）、色信号（Ｃ信号））分離器２３、アッテネータ（減衰器）２４及び２５、及び可変増幅器２６及び２７を有し、音声検波増幅部１４は、音声ＳＡＷＦＩＬ３１、音声検波器３２、アッテネータ３３、及び可変増幅器３４を有している。また、制御部１５は演算処理装置４１及び記憶手段４２を備え、記憶手段４２には受信状態の一つである受信電界強度と制御電圧との関係を示す受信電界強度−制御電圧テーブル１００が予め格納されている（この制御電圧については後述する）。
【００１６】
ユーザが所望の放送チャンネル（Ｃｈ）を選局すると、アンテナ１１を介してチューナ部１２で受信されたテレビ放送信号はダウンコンバータでベースバンド帯域までダウンコンバートされて、ベースバンド信号として映像検波増幅部１３及び音声検波増幅部１４に与えられる。テレビ放送信号、つまり、ベースバンド信号は、Ｙ信号及びＣ信号を有するコンポジット映像信号と音声信号とを含んでおり、映像検波増幅部１３では、映像ＳＡＷＦＩＬ２１によって映像信号の帯域のみを通過させて、映像検波器２２によってベースバンド信号が検波されて映像信号が出力される。
【００１７】
この映像信号はＹＣ分離器２３でＹ信号とＣ信号とに分離されて、Ｙ信号及びＣ信号はそれぞれアッテネータ２４及び２５で後述するように減衰された後、可変増幅器２６及び２７で増幅されて、ＲＧＢ復調回路１６に送られる。
【００１８】
一方、音声検波増幅部１４では、音声ＳＡＷＦＩＬ３１によって音声信号の帯域のみを通過させて、音声検波器３２によってベースバンド信号が検波されて音声信号が出力される。この音声信号はアッテネータ３３で減衰された後、可変増幅器３４で増幅されて、音声復調回路１７に送られる。
【００１９】
チューナ部１２ではテレビ放送信号を受信する際、ＡＧＣ（Ａｕｔｏｍａｔｉｃ  Ｇａｉｎ  Ｃｏｎｔｒｏｌ）を行っており、このＡＧＣを行う際に用いるＡＧＣ電圧が電界強度検出手段（検出手段）５１に与えられて、電界強度検出手段５１はＡＧＣ電圧に応じて受信電界強度を検出する（ＡＧＣ電圧と受信電界強度との間には相関関係があるので、ＡＧＣ電圧から受信電界強度を知ることができる）。そして、演算処理装置４１は電界強度検出手段５１から与えられる受信電界強度に応じて受信電界強度−制御電圧テーブルを参照して制御電圧を得て、この制御電圧によって、後述するようにして可変増幅器２６及び２７と可変増幅器３４の増幅率を変化させる。
【００２０】
次に動作について説明する。
図１及び図２を参照して、いま、地上アナログテレビ放送の一チャンネル（Ｃｈ）を受信すると（ステップＳＴ１）、前述したように、電界強度検出手段５１はＡＧＣ電圧に基づいてその受信電界強度を検出して演算処理装置４１に与える（ステップＳＴ２）。演算処理装置４１では予め設定された電界強度閾値と受信電界強度とを比較して、その比較結果に基づいてミュート（ソフトミュート）が必要であるか否かを判定する（ステップＳＴ３）。
【００２１】
例えば、受信電界強度≧電界強度閾値であると、演算処理装置４１はソフトミュートが不要であると判断して、次の処理へと移行する。一方、受信電界強度＜電界強度閾値であると、演算処理装置４１はソフトミュートが必要であると判断して、次のようにしてソフトミュートを実行する。
【００２２】
前述したように、Ｙ信号及びＣ信号はそれぞれアッテネータ２４及び２５で減衰されるが、この際、Ｙ信号及びＣ信号は無信号状態となる直前までレベルダウンされる。同様にして、音声信号はアッテネータ３３によって無信号状態となる直前までレベルダウンされる。演算処理装置４１では記憶手段４２に格納された受信電界強度−制御電圧テーブルを参照して、電界強度検出手段５１から与えられる受信電界強度に対応する制御電圧を得て、この制御電圧によって可変増幅器２６及び２７と可変増幅器３４の増幅率を制御する。
【００２３】
例えば、後述するようにして、受信電界強度に応じて（比例して）、色レベルの制御を行い（ステップＳＴ４）、続いて、受信電界強度に応じて輝度レベルの制御を行う（ステップＳＴ５）。図３を参照すると、図３はＡＧＣ電圧と受信電界強度との関係を示す図であり、ＡＧＣ電圧は受信電界強度が第１のレベル（第４の閾値）Ｌ１までは一定の値であり、この第１のレベルＬ１よりも受信電界強度が強くなると、ＡＧＣ電圧は減少する。演算処理装置４１は受信電界強度が第１のレベルＬ１で可変増幅器３４の増幅率を小さくして音量を小とする（音小）。そして、受信電界強度が第２のレベル（第１の閾値）Ｌ２となると可変増幅器３４の増幅率を大きくして音量を大とする（音大：第２のレベルＬ２は前述の電界強度閾値に対応する）。
【００２４】
つまり、演算処理装置４１は可変増幅器３４の増幅率を制御して、受信電界強度が第１のレベルＬ１と第２のレベルＬ２との間で音量を小から大へと変化させ、受信電界強度が第１のレベルＬ１未満では可変増幅器３４の増幅率をゼロとして無音状態とする（演算処理装置４１は第１のレベルＬ１と第２のレベルＬ２との間で無段階的に音量を変化させることになる）。
【００２５】
図３に示す例では、第１のレベルＬ１と第２のレベルＬ２との間に第３のレベル（第３の閾値）Ｌ３及び第４のレベル（第２の閾値）Ｌ４が規定されており（Ｌ２＞Ｌ４＞Ｌ３＞Ｌ１）、Ｙ信号は第１のレベルＬ１と第４のレベルＬ４の間でレベル制御され、Ｃ信号は第３のレベルＬ３と第２のレベルＬ２の間でレベル制御される。
【００２６】
演算処理装置４１は受信電界強度が第１のレベルＬ１で可変増幅器２６の増幅率を小さくして輝度を小とする（輝度小）。そして、受信電界強度が第４のレベルＬ４となると可変増幅器２６の増幅率を大きくして輝度を大とする（輝度大）。つまり、演算処理装置４１は可変増幅器２６の増幅率を制御して、受信電界強度が第１のレベルＬ１と第４のレベルＬ４との間で輝度を小から大へと変化させ、受信電界強度が第１のレベルＬ１未満では可変増幅器２６の増幅率をゼロとして無輝度状態とする（演算処理装置４１は第１のレベルＬ１と第４のレベルＬ４との間で無段階的に輝度を変化させることになる）。
【００２７】
同様にして、演算処理装置４１は受信電界強度が第３のレベルＬ３で可変増幅器２７の増幅率を小さくして色を薄くする（色薄）。そして、受信電界強度が第２のレベルＬ２となると可変増幅器２７の増幅率を大きくして色を濃くする（色濃）。つまり、演算処理装置４１は可変増幅器２７の増幅率を制御して、受信電界強度が第３のレベルＬ３と第２のレベルＬ２との間で色を薄い状態から濃い状態へと変化させ、受信電界強度が第３のレベルＬ３未満では可変増幅器２７の増幅率をゼロとして無色状態（ミュート状態）とする（演算処理装置４１は第３のレベルＬ３と第２のレベルＬ２との間で無段階的に色を変化させることになる）。
【００２８】
従って、第１のレベルＬ１と第３のレベルＬ３の間では、モニター画面は無色状態であるが、輝度は存在する状態となり、モニター画面はモノクロ（白黒）状態となる。つまり、受信電界強度が第２のレベルＬ２から第１のレベルＬ１に低下するにつれて、徐々に音量が小さくなり、さらに、モニター画面は徐々にその色（カラー）が薄くなって、第４のレベルＬ４よりも受信電界強度が低下すると、モニター画面は徐々に暗くなり、第３のレベルＬ３を過ぎるとモニター画面はモノクロとなってだんだん暗くなる。そして、第１のレベルＬ１よりも受信電界強度が低下すると、モニター画面は真っ暗となって無音状態（ミュート状態）となる。
【００２９】
このようにして、モニター画面及び音声を受信電界強度に応じて無段階的に変化させてモニター画面を徐々に色を薄くしつつ輝度を低下させてモノクロとしてその後モニター画面を真っ暗な状態とし、モニター画面の変化に同期させて音量も変化させるようにしたので、突然モニター画面がスノーノイズ状態となることがなく、ユーザに受信状態が悪化しつつあることを知らせて、ユーザに与える不快感を低減することができるという効果がある。
【００３０】
上述の例では、地上アナログテレビ放送信号を受信するアナログテレビ受信装置について説明したが、地上デジタルテレビ放送を受信するデジタルテレビ受信装置においても、同様にして上述のソフトミュートを適用することができる。
【００３１】
図４はデジタルテレビ受信装置６０の一例を示すブロック図であり、図４において図１と同一の構成要素については同一の参照番号を付し説明を省略することにする。図４において、デジタルテレビ受信装置６０はデジタル信号処理部６１を備えており、このデジタル信号処理部６１はチューナ部１２に接続されるとともに、バックエンド部６２を介してＹＣ分離器２３及びアッテネータ３３に接続されている。また、図４に示す制御部は図１に示す制御部１５と機能が異なるので、ここでは参照番号１８を付し、演算処理装置及び記憶手段をそれぞれ参照番号１８ａ及び１８ｂで示す。
【００３２】
デジタル信号処理部６１はアナログデジタル変換器（ＡＤＣ）７１、直交検波器７２、ＦＦＴ（Ｆａｓｔ  Ｆｏｕｒｉｅｒ  Ｔｒａｎｓｆｏｒｍ）部７３、フィルタ７４、インターリーブ部７５、デマッピング部７６、ビタビ復号部７７、ＴＳ（トランスポートストリーム）再生部７８、及びＲＳ（リードソロモン）復号部７９を有している。ところで、地上デジタル放送においては、一つの放送局（図示せず）からは一つのデジタル放送波が送信されており、このデジタル放送波はトランスポートストリーム（Ｔｒａｎｓｐｏｒｔ  Ｓｔｒｅａｍ：ＴＳ）と呼ばれる。
【００３３】
なお、地上デジタル放送では、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が用いられる。
【００３４】
チューナ部１２から出力されたアナログ信号（ベースバンド信号）はデジタル信号処理部６１に与えられ、まずＡＤＣ７１でデジタル信号に変換された（離散化された）後、直交検波器７２で直交検波される。そして、直交検波器７２の出力はＦＦＴ回路７３に与えられ、ここで、ＦＦＴが行われて時間領域の信号から周波数領域の信号に変換される。この周波数領域信号はフィルタ（例えば、帯域フィルタ）７４を介してインターリーブ部７５に与えられて、ここでインターリーブ処理された後、デマッピング部７６でデマッピング処理される。
【００３５】
デマッピング部７６からの出力はビタビ復号器７７でビタビ復号された後、ＴＳ再生部７８に与えられて、ここでＴＳが再生される。そして、ＲＳ復号器７９においてＲＳ復号処理が行われて、ＴＳ出力が送出される。そして、バックエンド部６２によってＴＳ出力がデジタルアナログ変換された後映像信号及び音声信号が分離され、映像信号がＹＣ分離器２３に与えられ、音声信号がアッテネータ３３に与えられる。
【００３６】
ところで、ＦＦＴ部７３においてＦＦＴ処理を行った際には、Ｃ／Ｎ比（キャリア対ノイズ比）が得られ、このＣ／Ｎ比は演算処理装置１８ａに与えられる。さらに、ビタビ復号部７７でビタビ復号処理を行った際には、エラー訂正が行われることになるが、ビタビ復号部７７で訂正されたエラー訂正数（ビットエラーレート（ＢＥＲ））が演算処理装置１８ａに与えられ、演算処理装置１８ａは、後述するようにして、受信電界強度、Ｃ／Ｎ比、及びＢＥＲに基づいて記憶手段１８ｂに記憶された電界強度−制御電圧テーブルを参照して制御電圧を得、制御電圧によって可変増幅器２６及び２７と可変増幅器３４の増幅率を制御する。
【００３７】
前述のＣ／Ｎ比は受信電界強度が高くなると高くなり、受信電界強度が低くなると低くなるという比例関係にある。一方、エラービットレート（ＢＥＲ）は、受信電界強度が高くなって所定のレベルを越えた時点でエラー訂正数が急激に低くなる。つまり、Ｃ／Ｎ比及びＢＥＲは受信電界強度と相関関係にある。
【００３８】
図示のデジタルテレビ受信装置６０においては、予めＢＥＲと受信電界強度との関係を測定して、ＢＥＲ−受信電界強度テーブルとして記憶手段１８ｂに記憶しておくとともに、Ｃ／Ｎ比と受信電界強度との関係を測定して、Ｃ／Ｎ比−受信電界強度テーブルとして記憶手段１８ｂに記憶する。
【００３９】
図４を参照して、いま、地上デジタル放送の一チャンネル（Ｃｈ）を受信すると、前述したように、電界強度検出手段５１でＡＧＣ電圧に応じて検出された受信電界強度が演算処理装置１８ａに与えられ、ＦＦＴ部７３からＣ／Ｎ比が演算処理装置１８ａに与えられる。さらに、ビタビ復号部７７からＢＥＲが演算処理装置１８ａに与えられる。演算処理装置１８ａではＢＥＲ及びＣ／Ｎ比に基づいて、記憶手段１８ｂをアクセスしてＢＥＲ−受信電界強度テーブル及びＣ／Ｎ比−受信電界強度テーブルを参照してそれぞれＢＥＲ及びＣ／Ｎ比に対応する電界強度を読み出す。
【００４０】
なお、以下の説明では、電界強度検出手段５１から与えられる受信電界強度を第１の電界強度Ｄ１とし、ＢＥＲ及びＣ／Ｎ比に対応する電界強度をそれぞれ第２及び第３の電界強度Ｄ２及びＤ３と呼ぶことにする。
【００４１】
続いて、演算処理装置１８ａは第１乃至第３の電界強度Ｄ１、Ｄ２、Ｄ３に対して重み係数ｋ１乃至ｋ３を掛けて、ｆ（ｘ）＝ｋ１×Ｄ１＋ｋ２×Ｄ２＋ｋ３×Ｄ３を求めて、算出電界強度とする。そして、演算処理装置１８ａは図１で説明した受信電界強度−制御電圧テーブルを参照して、算出電界強度に対応する制御電圧を得て、この制御電圧によって可変増幅器２６及び２７と可変増幅器３４の増幅率を制御する。なお、ここで行われるソフトミュートによるモニター画面及び音量の制御は図３で説明したソフトミュートと同一であるので説明を省略することにする。
【００４２】
上述の例では、ＢＥＲ及びＣ／Ｎ比も検知して、電界強度検出手段５１でＡＧＣ電圧に応じて検出された受信電界強度とＢＥＲ及びＣ／Ｎ比に対応する電界強度をＢＥＲ−受信電界強度テーブル及びＣ／Ｎ比−受信電界強度テーブルからそれぞれ得て、重み付けを行った後、算出電界強度を決定し、算出電界強度に対応する制御電圧で可変増幅器２６及び２７と可変増幅器３４を制御するようにしたが、ＢＥＲのみを用いてＢＥＲに対応する電界強度をＢＥＲ−受信電界強度テーブルから得て、算出電界強度として、制御電圧を求めるようにしてもよい。
【００４３】
また、Ｃ／Ｎ比のみを用いてＣ／Ｎ比に対応する電界強度をＣ／Ｎ比−受信電界強度テーブルから得て、算出電界強度とするようにして、制御電圧を得るようにしてもよく、電界強度検出手段５１から得られる受信電界強度のみを用いて制御電圧を得るようにしてもよいが、電界強度検出手段５１から得られる受信電界強度、ＢＥＲ、及びＣ／Ｎ比に応じて算出電界強度を得て、制御電圧を求めるようにすれば、精度よく可変増幅器２６及び２７と可変増幅器３４を制御することができる。さらに、重み係数ｋ１乃至ｋ３を用いることなく、第１乃至第３の電界強度Ｄ１、Ｄ２、Ｄ３を平均化して、その結果を算出電界強度として、制御電圧を得るようにもよい。
【００４４】
なお、上述の説明から明らかなように、図１及び図４において、アッテネータ２４及び可変増幅器２６が第１の調整手段として機能し、アッテネータ２５及び可変増幅器２７が第２の調整手段として機能する。また、アッテネータ３３及び可変増幅器３４が第３の調整手段として機能する。
【００４５】
以上のように、この実施の形態１によれば、映像信号及び音声信号を有するテレビ放送信号を受信して映像信号に応じた映像及び音声信号に応じた音声を出力する際、受信電界強度に応じて輝度信号、色信号、及び音声信号各々のレベルを受信電界強度の低下とともに低減させるようにしたので、突然映像が遮断される等の事態を防止することができ、ユーザに予め映像が遮断されることを予告してユーザに与える不快感を低減することができる。
【００４６】
この実施の形態１によれば、受信電界強度が第２のレベルＬ２になると、色信号のレベルの低減を開始して、受信電界強度が第２のレベルＬ２よりも小さい第４のレベルとなると輝度信号のレベルの低減を開始し、さらに、受信電界強度が第４のレベルよりも小さい第３のレベルとなると色信号をミュートして、受信電界強度が第３のレベルよりも小さい第１のレベルとなると輝度信号をミュートし、この際、受信電界強度が第２のレベルとなると音声信号のレベルの低減を開始し、受信電界強度が第１のレベルとなると音声信号をミュートするようにしたので、色信号、輝度信号、及び音声信号のレベル制御のタイミングに応じてユーザにとしては徐々にモニター画面及び音量が変化することになって、不快感を与えることなく、映像及び音量のミュート制御を行うことができる。
【００４７】
この実施の形態１によれば、テレビ放送信号がデジタルテレビ放送信号である際には、受信電界強度に加えて、ＢＥＲ及びＣ／Ｎ比も考慮して受信状態を決定して、この受信状態に応じて、輝度信号、色信号、及び音声信号のミュート制御を行うようにしたので、精度よくミュート制御を行うことができる。
【図面の簡単な説明】
【００４８】
【図１】この発明の実施の形態１によるテレビ受信装置の一例であるアナログテレビ受信装置の構成を示すブロック図である。
【図２】図１に示すアナログテレビ受信装置におけるソフトミュート制御を説明するためのフローチャートである。
【図３】図１に示すフナログテレビ受信装置における輝度レベル制御、色レベル制御、音レベル制御を電界強度との関係で示す図である。
【図４】この発明の実施の形態１によるテレビ受信装置の他の例であるデジタルテレビ受信装置の構成を示すブロック図である。
【符号の説明】
【００４９】
１０，６０  テレビ受信装置、１１  アンテナ、１２  チューナ部、１３  映像検波増幅部、１４  音声検波増幅部、１５，１８  制御部、１６  ＲＧＢ復調回路、１７  音声復調回路、１８ａ，４１  演算処理装置、１８ｂ，４２  記憶手段、２１  映像用弾性表面波フィルタ（映像ＳＡＷＦＩＬ）、２２  映像検波器、２３  ＹＣ分離器、２４，２５，３３  アッテネータ（減衰器）、２６，２７，３４  可変増幅器、３１  音声ＳＡＷＦＩＬ、３２  音声検波器、５１  電界強度検出手段、６１  デジタル信号処理部、６２  バックエンド部、７１  アナログデジタル変換器（ＡＤＣ）、７２  直交検波器、７３  ＦＦＴ（Ｆａｓｔ  Ｆｏｕｒｉｅｒ  Ｔｒａｎｓｆｏｒｍ）部、７４  フィルタ、７５  インターリーブ部、７６  デマッピング部、７７  ビタビ復号部、７８  ＴＳ（トランスポートストリーム）再生部、７９  ＲＳ（リードソロモン）復号部。
【図１】
2007043501.tif 000003
【図２】
2007043501.tif 000004
【図３】
2007043501.tif 000005
【図４】
2007043501.tif 000006